(57)【要約】【課題】ねじれ方向の圧力を解放することができるシート搬送装置及び画像形成装置を提供することにある。【解決手段】回転駆動される駆動部材と、この駆動部材に対向した位置に従動回転可能に支持されて、前記駆動部材との間でシートを搬送する従動部材と、前記従動部材を前記駆動部材に向けて付勢する付勢部材とを有し、前記付勢部材はシート搬送面に対して直交する軸を支点として回転するように支持されている。【選択図】図３
2011051663.tif 000002
【特許請求の範囲】
【請求項１】
回転駆動される駆動部材と、
この駆動部材に対向した位置で従動回転可能に支持されて、前記駆動部材との間でシートを搬送する従動部材と、
前記従動部材を前記駆動部材に向けて付勢する付勢部材と、を有し、
前記付勢部材はシート搬送面に対して直交する軸を支点として回転するように支持されているシート搬送装置。
【請求項２】
前記駆動部材、前記従動部材及び付勢部材は、シート搬送方向に対して直交する方向に複数設けられている請求項１記載のシート搬送装置。
【請求項３】
前記従動部材は、前記駆動部材よりも摩擦係数が高い請求項１又は２記載のシート搬送装置。
【請求項４】
前記駆動部材を駆動する駆動源は制御部により制御され、前記制御部はシートが前記駆動部材と前記従動部材との間を通過した後に前記駆動部材を所定時間空転させて、前記従動部材が予め定められた位置に戻るように制御する請求項１乃至３いずれか記載のシート搬送装置。
【請求項５】
シートを搬送する第１のシート搬送装置と、
前記第１のシート搬送装置により搬送されたシートを搬送する第２のシート搬送装置と、を有し、
前記第１のシート搬送装置は、回転駆動される駆動部材と、この駆動部材に対向した位置で従動回転可能に支持されて、前記駆動部材との間でシートを搬送する従動部材と、前記従動部材を前記駆動部材に向けて付勢する付勢部材と、を有し、前記付勢部材はシート搬送面に対して直交する軸を支点として回転するように支持されているシート搬送装置。
【請求項６】
シートを搬送するシート搬送装置と、
このシート搬送装置により搬送されたシートを一時停止させる一時停止部材と、を有し、
前記シート搬送装置は、回転駆動される駆動部材と、この駆動部材に対向した位置で従動回転可能に支持されて、前記駆動部材との間でシートを搬送する従動部材と、前記従動部材を前記駆動部材に向けて付勢する付勢部材と、を有し、前記付勢部材はシート搬送面に対して直交する軸を支点として回転するように支持されている画像形成装置。
【請求項７】
シートを搬送するシート搬送装置と、
このシート搬送装置により搬送されたシートにトナーを定着させる加熱部材と、この加熱部材に対向する加圧部材からなる定着装置と、を有し、
前記シート搬送装置は、回転駆動される駆動部材と、この駆動部材に対向した位置で従動回転可能に支持されて、前記駆動部材との間でシートを搬送する従動部材と、前記従動部材を前記駆動部材に向けて付勢する付勢部材と、を有し、前記付勢部材はシート搬送面に対して直交する軸を支点として回転するように支持されている画像形成装置。
【発明の詳細な説明】
【技術分野】
【０００１】
本発明は、シート搬送装置及び画像形成装置に関する。
【背景技術】
【０００２】
特許文献１は、駆動ロール部材と搬送部材部材とを対向させて配置し、それぞれのロール部材を、軸方向に移動を許容する機構を配置するとともに、ロール部材に対して、その両側に付勢機構を配置して搬送ロール装置を構成し、用紙を用紙搬送路の幅方向に移動させる方法として、搬送ロール装置が用紙をニップしたままで横方向に移動させる構成を開示する。
また、特許文献２は、レジローラ装置を構成するローラ部材を支持する軸、またはローラ部材をリニアベアリング部材とスプリングとにより支持し、レジローラ装置にニップした用紙に生じる斜行方向の圧力により、レジローラ装置を軸方向に移動させる構成を開示する。
【先行技術文献】
【特許文献】
【０００３】
【特許文献１】特開平６−１６２８４号公報
【特許文献２】特開平６−１４９９号公報
【発明の概要】
【発明が解決しようとする課題】
【０００４】
本発明の目的は、ねじれ方向の圧力を解放することができるシート搬送装置及び画像形成装置を提供することにある。
【課題を解決するための手段】
【０００５】
上記目的を達成するために、請求項１に係る本発明は、回転駆動される駆動部材と、この駆動部材に対向した位置で従動回転可能に支持されて、前記駆動部材との間でシートを搬送する従動部材と、前記従動部材を前記駆動部材に向けて付勢する付勢部材と、を有し、前記付勢部材はシート搬送面に対して直交する軸を支点として回転するように支持されているシート搬送装置である。
【０００６】
請求項２に係る本発明は、前記駆動部材、前記従動部材及び付勢部材は、シート搬送方向に対して直交する方向に複数設けられている請求項１記載のシート搬送装置である。
【０００７】
請求項３に係る本発明は、前記従動部材は、前記駆動部材よりも摩擦係数が高い請求項１又は２記載のシート搬送装置である。
【０００８】
請求項４に係る本発明は、前記駆動部材を駆動する駆動源は制御部により制御され、前記制御部はシートが前記駆動部材と前記従動部材との間を通過した後に前記駆動部材を所定時間空転させて、前記従動部材が予め定められた位置に戻るように制御する請求項１乃至３いずれか記載のシート搬送装置である。
【０００９】
請求項５に係る本発明は、シートを搬送する第１のシート搬送装置と、前記第１のシート搬送装置により搬送されたシートを搬送する第２のシート搬送装置と、を有し、前記第１のシート搬送装置は、回転駆動される駆動部材と、この駆動部材に対向した位置で従動回転可能に支持されて、前記駆動部材との間でシートを搬送する従動部材と、前記従動部材を前記駆動部材に向けて付勢する付勢部材と、を有し、前記付勢部材はシート搬送面に対して直交する軸を支点として回転するように支持されているシート搬送装置である。
【００１０】
請求項６に係る本発明は、シートを搬送するシート搬送装置と、このシート搬送装置により搬送されたシートを一時停止させる一時停止部材と、を有し、前記シート搬送装置は、回転駆動される駆動部材と、この駆動部材に対向した位置で従動回転可能に支持されて、前記駆動部材との間でシートを搬送する従動部材と、前記従動部材を前記駆動部材に向けて付勢する付勢部材と、を有し、前記付勢部材はシート搬送面に対して直交する軸を支点として回転するように支持されている画像形成装置である。
【００１１】
請求項７に係る本発明は、シートを搬送するシート搬送装置と、このシート搬送装置により搬送されたシートにトナーを定着させる加熱部材と、この加熱部材に対向する加圧部材からなる定着装置と、を有し、前記シート搬送装置は、回転駆動される駆動部材と、この駆動部材に対向した位置で従動回転可能に支持されて、前記駆動部材との間でシートを搬送する従動部材と、前記従動部材を前記駆動部材に向けて付勢する付勢部材と、を有し、前記付勢部材はシート搬送面に対して直交する軸を支点として回転するように支持されている画像形成装置である。
【発明の効果】
【００１２】
請求項１に係る本発明によれば、ねじれ方向の圧力を解放することができるシート搬送装置を提供することができる。
【００１３】
請求項２に係る本発明によれば、請求項１に係る本発明の効果に加えて、シートから受ける圧力の大きさに応じて、ねじれ方向の圧力を解放することができる。
【００１４】
請求項３に係る本発明によれば、請求項１又は２に係る本発明の効果に加えて、簡易な構成でねじれ方向の圧力を解放することができる。
【００１５】
請求項４に係る本発明によれば、請求項１乃至３いずれかに係る本発明の効果に加えて、速やかにシートを搬送することができる。
【００１６】
請求項５に係る本発明によれば、ねじれ方向の圧力を解放することができるシート搬送装置を提供することができる。
【００１７】
請求項６に係る本発明によれば、ねじれ方向の圧力を解放することができる画像形成装置を提供することができる。
【００１８】
請求項７に係る本発明によれば、ねじれ方向の圧力を解放することができる画像形成装置を提供することができる。
【図面の簡単な説明】
【００１９】
【図１】本発明の一実施形態の画像形成装置１０を示す側面図である。
【図２】本発明に係る実施形態に用いたシート搬送装置７０周辺を示す斜視図である。
【図３】本発明に係る実施形態に用いたシート搬送装置７０周辺を上方からみた図であり、シートを搬送する様子を示す。
【図４】本発明に係る実施形態に用いたシート搬送装置７０をシート搬送方向から見た図であり、（ａ）はねじれ方向からの圧力がかかっていない状態、（ｂ）はねじれ方向からの圧力がかかった状態を示す。
【図５】本発明に係る実施形態に用いた搬送ロールの動作Ｓ１０を示す。
【図６】本発明の他の実施形態に用いたシート搬送装置７０周辺を示す概略図である。
【発明を実施するための形態】
【００２０】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に後述する排出部１６が設けられていると共に、この画像形成装置本体１２の下部に例えば２段のシート搬送装置の一例である給紙装置１８、１８が配置されている。
【００２１】
それぞれの給紙装置１８は、シートＳが積層されて収納される給紙カセット２２を有する。ここで、シートＳはシート状であればいかなる態様でもよく、素材も限定されない。本発明の実施形態においては、シートの代表的態様として記録媒体である用紙を例に説明する。給紙カセット２２の奥端近傍上部にはピックアップロール２４が配置され、このピックアップロール２４のシート搬送方向下流側に後述するピンチロール２６と搬送ロール２８が配置されている。これらピックアップロール２４、ピンチロール２６及び搬送ロール２８は、画像形成装置本体１２に設けられていてもよし、給紙カセット２２に設けられていてもよい。
【００２２】
主搬送路３２は、搬送ロール２８から排出口３４までのシート通路であり、この主搬送路３２は、画像形成装置本体１２の裏側（図１の右側面）近傍にあって、最下端の給紙装置１８から後述する定着装置３６まで略鉛直に形成されている部分を有する。この主搬送路３２の定着装置３６のシート搬送方向上流側に転写装置４２と像保持体４４が配置され、さらに転写装置４２と像保持体４４のシート搬送方向上流側に後述するレジストロール３８が配置されている。さらに、主搬送路３２の排出口３４の近傍には排出ロール４０が配置されている。
【００２３】
したがって、給紙装置１８の給紙カセット２２からピックアップロール２４により送り出されたシートＳは、ピンチロール２６及び搬送ロール２８の協働により捌かれて最上部のシートのみ主搬送路３２に導かれ、レジストロール３８により一時停止され、タイミングをとって後述する転写装置４２と像保持体４４との間を通って現像剤像が転写され、この転写された現像剤像が定着装置３６により定着され、排出ロール４０により排出口３４から排出部１６へ排出される。
【００２４】
ただし、両面印刷の場合は、反転路に戻される。即ち、主搬送路３２の排出ロール４０の手前は二股に分かれ、その分かれた部分に切換装置４６が設けられていると共に、分けられた部分からレジストロール３８まで戻る反転路４８が形成されている。この反転路４８には搬送ロール５０ａ〜５０ｃが設けられており、両面印刷の場合には、切換装置４６が反転路４８を開く側に切り換えられ、排出ロール４０にシートの後端手前がかかる時点で排出ロール４０が反転し、シートが反転路４８に導かれ、レジストロール３８、転写装置４２と像担持体４４及び定着装置３６を通って排出口３４から排出部１６へ排出されるものである。
【００２５】
像形成手段１４は、例えば電子写真方式のもので、感光体からなる像保持体４４と、この像保持体４４を帯電する例えば帯電ロールからなる帯電装置５６と、帯電装置５６により帯電された像保持体４４に、光により潜像を書き込む光書込み装置５８と、この光書込み装置５８により形成された像保持体４４の潜像を現像剤により可視化する現像装置６０と、この現像装置６０による現像剤像をシートＳに転写する例えば転写ロールからなる転写装置４２と、像保持体４４に残存する現像剤をクリーニングする例えばブレードからなるクリーニング装置６２と、転写装置４２により転写されたシートＳ上の現像剤像をシートＳに定着させる定着装置３６とから構成されている。
【００２６】
プロセスカートリッジ６４は、像保持体４４、帯電装置５６、現像装置６０及びクリーニング装置６２を一体化したものである。
【００２７】
制御部３０は、画像形成装置本体１２に配設され、画像形成装置１０を構成する各部を制御する。
【００２８】
次に、本発明の実施形態に係るシート搬送装置７０について、シートをシート搬送装置７０からレジストロール３８へ搬送する例に基づいて説明する。
図２は、シート搬送装置７０からレジストロール３８へシートＳを搬送する搬送路７７周辺の斜視図である。
レジストロール３８は、シート搬送装置７０により搬送されたシートを一時停止させる一時停止部材である。
図２に示すように、シート搬送装置７０は、回転駆動される駆動部材である搬送ロール２８と、搬送ロール２８に対向して設けられ、搬送ロール２８から駆動力を受けて回転する従動部材であるピンチロール２６と、ピンチロール２６が搬送ロール２８に向けて押付けられるように付勢する付勢部材である例えば板ばね７６から構成される。
搬送ロール２８は、シート搬送方向に対して直交する方向に設けられた軸７２に複数設けられている。ピンチロール２６は、搬送ロール２８に対向して設けられ、板ばね７６の作用により搬送ロール２８側に押圧されてニップ部が形成される。
複数のピンチロール２６が、板ばね７６の下面の端部中央に形成された支点７８を介してシート搬送方向に対して直交する方向に延びた搬送用連結部材８０に連結されている。
すなわち、複数のピンチロール２６が、シートＳの搬送方向に対して直交する軸となる搬送用連結部材８０を支点としてそれぞれ回転される。
なお、ピンチロール２６の表面は、対向する搬送ロール２８の表面よりも摩擦係数を高くするとよい。
【００２９】
次に、シート搬送中に、シート搬送装置７０とレジストロール３８の間でねじれ方向の応力が発生した場合のシート搬送装置７０の動作について説明する。
図３は、レジストロール３８へシートを搬送中のシート搬送装置７０を上方からみた図である。
図４は、シート搬送装置７０をシートの搬送方向からみた図であり、（ａ）はシートにねじれ方向の圧力がかかっていない状態（ｂ）はシートにねじれ方向の圧力がかかった状態を示す。
搬送ロール２８とピンチロール２６との協働により、シートＳは、搬送ロール２８とピンチロール２６との間を通過し、先端がレジストロール３８に当たって一時停止され、ループが形成されて搬送される。レジストロール３８の手前でシートＳがねじれるとそれぞれのピンチロール２６にねじれ方向の圧力が加わる。これにより、図３及び図４（ｂ）に示すように、それぞれのピンチロール２６は、搬送ロール２８とのニップ部を形成した状態でシートＳのねじれを解放する方向に支点７８を回転支点として回転し、ねじれ方向の圧力が解放され、しわ及びスキューの拡大が防止される。また、シートＳのねじれ具合は場所によって異なるが、複数のピンチロール２６をそれぞれ板ばね７６で支持し、搬送用連結部材８０に対して設けることで、それぞれのピンチロール２６が受けるねじれ応力をそれぞれが受けるねじれ応力の大きさに応じて解放しうる。そして、１枚目のシートＳが搬送されると、後述するように、搬送ロール２８が所定時間空転され、対向するピンチロール２６が待機位置として予め定められた位置に戻る。ここで待機位置とは、搬送ロール２８の軸心とピンチロール２６の軸心とが平行となっている位置である。
【００３０】
次に、シート搬送装置７０に用いられる搬送ロール２８の動作の一例を図４及び図５に基づいて詳述する。
図４に示すように、搬送ロール２８を回転させる軸７２には駆動源の一例であるモータ８２が接続され、モータ８２は制御部３０によって制御される。
図５には、搬送ロール２８の動作（Ｓ１０）の一例が示されている。
【００３１】
図５に示すように、ステップ１００（Ｓ１００）において、制御部３０はモータ８２を介して搬送ロール２８を回転させ、シートＳを搬送する。
【００３２】
ステップ１０２（Ｓ１０２）において、シートＳの搬送が終了する。
【００３３】
ステップ１０４（Ｓ１０４）において、搬送ロール２８を所定時間空転させ、ピンチロール２６を元の位置に戻す。
【００３４】
ステップ１０６（Ｓ１０６）において、搬送ロール２８の回転を停止させる。
【００３５】
次に、本発明の実施形態に係るシート搬送装置７０が適用される他の一例を図６に基づいて説明する。
第２の実施形態においては、図６に示すように、定着装置３６のシート搬送方向上流側に、本実施形態に係るシート搬送装置７０を配置する。定着装置３６は、加熱部材である加熱ロール３６ａと加圧部材である加圧ロール３６ｂから構成される。シート搬送装置７０の構成及び搬送ロール２８の動作Ｓ１０については上述したものと同様である。シート搬送中にシート搬送装置７０と定着装置３６の間でねじれ方向の応力が発生した場合のシート搬送装置７０の動作について説明する。
搬送ロール２８とピンチロール２６との協働により、シートＳは、搬送ロール２８とピンチロール２６との間を通過し、定着装置３６である加熱ロール３６ａと加圧ロール３６ｂの間に搬送される。シート搬送装置７０と定着装置３６の間８４でシートＳがねじれるとそれぞれのピンチロール２６にねじれ方向の圧力が加わる。これにより、上述の図４（ｂ）に示すように、それぞれのピンチロール２６は、搬送ロール２８とのニップ部を形成した状態でシートＳのねじれを解放する方向に支点７８を回転支点として回転し、ねじれ方向の圧力が解放され、しわ及びスキューの拡大が防止される。そして、１枚目のシートＳが搬送されると、上述したように、搬送ロール２８が所定時間空転され、対向するピンチロール２６が予め定められた待機位置に戻る。
【００３６】
なお、上記実施形態においては、レジストロール３８及び定着装置３６の上流側にシート搬送装置７０を設けた例を説明したが、これに限定されることなく、下流側又は上流側と下流側の両方にシート搬送装置７０を設けてもよい。
また、上記実施形態においては、レジストロール３８とシート搬送装置７０間のシートを搬送するシート搬送装置及び定着装置３６とシート搬送装置７０間のシートを搬送するシート搬送装置を例に説明したが、これに限定されることなく、シートを搬送するシート搬送装置全般に適用される。
【符号の説明】
【００３７】
１０    画像形成装置
１２    装置本体
２６    ピンチロール
２８    搬送ロール
３６    定着装置
３６ａ  加熱ロール
３６ｂ  加圧ロール
３８    レジストロール
７０    シート搬送装置
７２    軸
７６    板ばね
７８    支点
８０    搬送用連結部材
【図１】
2011051663.tif 000003
【図２】
2011051663.tif 000004
【図３】
2011051663.tif 000005
【図４】
2011051663.tif 000006
【図５】
2011051663.tif 000007
【図６】
2011051663.tif 000008